(57)【要約】【課題】シャッターケース内でどのように巻きが乱れても、その乱れを検知してシャッターカーテンの駆動を停止する。【解決手段】巻取シャフト３に巻装されたシャッターカーテン５の周面を囲むように周方向に張設されたワイヤ１１と、ワイヤ１１の一端に連結されたマイクロスイッチ１０とを有し、シャッターカーテン５の巻が乱れてシャッターカーテン５がワイヤ１１に接触すると、マイクロスイッチ１０が作動して電流を遮断することで駆動を停止する。【選択図】図１
2004107922.tif 000002
【特許請求の範囲】
【請求項１】
シャッターケース内の巻取シャフトに巻装されたシャッターカーテンを繰り出すことで建物開口部を閉鎖する電動式シャッターの駆動停止装置において、該装置は、該巻取シャフトに巻装されたシャッターカーテンの周面の前面側及び、上面側と後面側の少なくとも一方に近接して設けた検知手段を有し、シャッターカーテンの巻きが乱れてシャッターカーテンが該検知手段に接触することで駆動を停止するように構成されていることを特徴とするシャッターの駆動停止装置。
【請求項２】
請求項１において、該検知手段は、巻取シャフトに巻装されたシャッターカーテンの周面を囲むように周方向に張設されたワイヤと、該ワイヤの一端に連結されたマイクロスイッチとを有し、シャッターカーテンの巻が乱れてシャッターカーテンが該ワイヤに接触すると、該マイクロスイッチの作動により電流を遮断して駆動を停止することを特徴とするシャッターの駆動停止装置。
【発明の詳細な説明】
【０００１】
【発明の属する技術分野】
本発明は、電動式シャッターの駆動停止装置に関するものである。
【０００２】
【従来の技術】
【特許文献１】特開平６−２８０３６２
【特許文献２】特開平７−３０１０６８
通常、シャッター装置には下限リミットスイッチが設けてあり、下降するシャッターカーテンが下限に到達するとシャッターカーテンの繰り出しを停止するようにしてある。しかしながら、下限リミットの設定が狂った時に、シャッターカーテンをそのまま継続して繰り出すと、シャッターカーテンが逆方向へ巻かれてしまうおそれがある。
【０００３】
上述のような不具合に対処するべく、シャッターケース内に設置したエマージェンシースイッチを有する駆動停止装置が提案されている。従来のエマージェンシースイッチは、例えば、ケース内の一辺に取り付けられ、オーバーラン時にシャッターカーテンが前後方向に振れた時に、シャッターカーテンを構成するスラットがスイッチに接触することで駆動を停止するようになっている。
【０００４】
しかしながら、従来の駆動停止装置は、巻き出されたシャッターカーテンが、逆方向へ巻かれる状況を無くすように、ケース内での逆巻き防止を目的としたものであり、特に、シャッターカーテンの巻き出し始めに不感知領域が存在する。例えば、シャッターカーテンが下降してからすぐ何らかの障害物に当たったような場合には、スラットがエマージェンシースイッチに当たらずに、シャッターカーテンの巻きがケース内で乱れて自破壊に至ってしまうおそれがある。
【０００５】
また、下降中のシャッターカーテンが障害物に当たった場合や、オーバーランした場合には、シャッターカーテンの巻きが乱れるが、この時にどのように巻が乱れるかは定かでない。多くの場合には、まぐさ部に近い部位のスラットが影響を受けるものと推測されるが、シャッターカーテンに掛かる力の強度や方向、力が作用した時のスラットの姿勢等によっては、予期しない部位に乱れが生じるおそれもある。
【０００６】
【発明が解決しようとする課題】
本発明は、上記不具合を解決するために創案されたものであって、シャッターケース内でどのように巻きが乱れても、その乱れを検知してシャッターカーテンの駆動を停止することを目的とするものである。
【０００７】
【課題を解決するための手段】
かかる課題を達成するために本発明が採用した技術手段は、シャッターケース内の巻取シャフトに巻装されたシャッターカーテンを繰り出すことで建物開口部を閉鎖する電動式シャッターの駆動停止装置において、該装置は、該巻取シャフトに巻装されたシャッターカーテンの周面の前面側及び、上面側と後面側の少なくとも一方に近接して設けた検知手段を有し、シャッターカーテンの巻きが乱れてシャッターカーテンが該検知手段に接触することで駆動を停止するものである。
【０００８】
一つの好ましい態様では、該検知手段は、巻取シャフトに巻装されたシャッターカーテンの周面を囲むように周方向に張設されたワイヤと、該ワイヤの一端に連結されたマイクロスイッチとを有し、シャッターカーテンの巻が乱れてシャッターカーテンが該ワイヤに接触すると、該マイクロスイッチが作動して電流を遮断して駆動を停止する。
【０００９】
【発明の実施の形態】
本発明の実施の形態を図面に基づいて説明する。電動式シャッター装置は、建物開口部左右端部に立設したガイドレール１と、建物開口部上方に設けたシャッターケース２と、シャッターケース２に内装された巻取シャフト３および開閉機４と、巻取シャフト３に巻装されたシャッターカーテン５とを有する。開閉機４によって巻取シャフト３を正逆回転駆動させることで、巻取シャフト３に巻装されたシャッターカーテン５を繰り出して建物開口部を閉鎖し、また、全閉時からシャッターカーテン５を巻取シャフト３に巻き取ることで建物開口部を開放する。
シャッターカーテン５は複数のスラット５０を上下に連設することで構成されている。
【００１０】
シャッターケース２は、左右のブラケット２０（一方のブラケットのみ図示）と左右のブラケット２０間を連結する４本のケースアングル２１，２２，２，２４と、シャッターケース２の上面及び前面を構成する図示しないケース上面板及びケース前面板とから構成されている。シャッターケース２の下面には、外まぐさ６、内まぐさ７が設けてあり、内外のまぐさ６，７の間にシャッターカーテン５の飲み込み口が形成されている。
【００１１】
図４に示すように、シャッターによる建物開口部の開閉は、操作スイッチ８からの入力によって行なわれる。操作スイッチ８の開ボタンを押すと、開信号が開閉機４のモータに送信され、シャッターカーテン５を繰り出す方向に巻取シャフト３が回転駆動される。操作スイッチ８の閉ボタンを押すと、閉信号が開閉機４のモータに送信され、シャッターカーテン５を巻き取る方向に巻取シャフト３が回転駆動される。操作スイッチ８の停止ボタンを押すと、開閉機４のモータへの電力供給が停止されて、巻取シャフト３の回転が停止し、シャッターカーテン５の繰り出しあるいは巻取りが停止される。
【００１２】
シャッター装置には、図示しない上限リミットスイッチおよび下限リミットスイッチが設けてある。シャッターカーテンの繰り出し時に、下限位置を下限リミットスイッチが検知すると、閉リミット接点が切れて、開閉機４のモータへの電力供給が停止されて、巻取シャフト３の回転が停止して、繰り出し中のシャッターカーテン５が停止する。シャッターカーテンの巻取り時に、上限位置を上限リミットスイッチが検知すると、開リミット接点が切れて、開閉機４のモータへの電力供給が停止されて、巻取シャフト３の回転が停止して、巻取り中のシャッターカーテン５が停止する。
【００１３】
図１乃至図３に戻って、ブラケット２０は前辺２００、上辺２０１、後辺２０２、下辺２０３から略方形状を有しており、前辺２００と上辺２０１が会合する隅部にはケースアングル２１が、上辺２０１と後辺２０２が会合する隅部にはケースアングル２２が、前辺２００と下辺２０３が会合する隅部にはケースアングル２３が、後辺２０２の下方部位で後辺２０２と下辺２０３とが会合する隅部よりもやや上方に位置した部位にはケースアングル２４が設けてある。
【００１４】
ブラケット２０の内側の面部には、面部に対して直交する方向に、巻取シャフト３の長さ方向に平行して、複数のローラユニット９が片持ち状に延設されている。ローラユニット９は、軸部９０とローラ部９１を有し、軸部９０の基端をブラケット２０の面部に装着すると共に、軸部９０の先端にローラ部９１が回転可能に設けてある。４本のローラユニット９の軸部９０の長さは全て同一であり、全てのローラ部９１が同じ垂直平面上に位置するようになっている。
【００１５】
図示のものでは、４本のローラユニット９のうち、１本はケースアングル２１より内側に位置してケースアングル２１と並設するように延出しており、他の１本はケースアングル２２の下方に位置してケースアングル２２と並設するように延出しており、さらに他の１本のローラユニット９はケースアングル２４の上方に位置してケースアングル２４と並設するように延出している。さらに残りの１本のローラユニット９は、内まぐさ７の上面に近接して他の３本のローラユニットと並行して延出している。
【００１６】
内まぐさ７の上面には、内まぐさ７に近接して延出するローラユニット９のローラ部９１に近接対向して一つのマイクロスイッチ１０が配設されている。マイクロスイッチ１０にはワイヤ１１の一端が連結されており、ワイヤ１１は、４本のローラユニット９の各ローラ部９１に順次掛け渡たすようにして巻取シャフト３に巻装されたシャッターカーテン５の周面を囲むように周方向に張設されており、ワイヤ１１の他端はケースアングル２３に連結されている。尚、ワイヤ１１の他端が連結される部材はケースアングル２３に限定されない。図示のものでは、マイクロスイッチ１０は内まぐさ７に設けられ、ワイヤ１１の他端は外まぐさ６に近接して配設されたケースアングル２３に装着されているので、巻取シャフト３に巻装されたシャッターカーテン５の周面の略全周（周面の前面側、上面側、後面側を含む）にわたってワイヤ１１を張設することができ、精度の高い検知が可能となる。
【００１７】
マイクロスイッチ１１はワイヤ１１の引張によってスイッチが入るように構成されていると共に、シャッター駆動用配線におけるマイクロスイッチ接点と連携しており、マイクロスイッチ１１が入ると、マイクロスイッチ接点が切れて、マイクロスイッチの作動によって開閉機４のモータへの電流が遮断されるようになっている。
【００１８】
上述のように構成された駆動停止装置において、通常の下降状態では、図２に示すように、ワイヤ１１は巻取シャフト３に巻装されたシャッターカーテン５とは接触せずにフリーであり、シャッターカーテン５は継続して下降する。
【００１９】
図３に示すように、下降中のシャッターカーテン５が障害物に当接すると、巻取シャフト３に巻装されたシャッターカーテン５の周面が例えば前面側に膨出して前面側のワイヤ１１に接触してワイヤ１１を引張し、これにしたがって、マイクロスイッチが作動し、マイクロスイッチが入って配線におけるマイクロスイッチ接点が切れることで、開閉機４のモータへの電流が遮断されて電力供給が停止する。開閉機４への電力供給が停止されると巻取シャフト３の回転が停止してシャッターカーテン３の下降が停止する。
【００２０】
図示のものでは、ローラユニット９をブラケット２０に取り付けているが、軸部９０を用いないで、軸部９０の代わりにケースアングル２１，２２，２４に直接ローラ部９１を設けてもよい。また、図示のものでは、建物開口部幅方向左右のうち一方にのみ駆動停止装置を設けているが、左右２ヶ所に駆動停止装置を設けても良い。さらに、左右２ヶ所に駆動停止装置を設けた場合において、好ましくは、１本のワイヤを取り回して兼用することで、一つのマイクロスイッチによってシャッターカーテンの巻きの乱れを検出する。
【００２１】
【発明の効果】
本発明は、巻取シャフトに巻装されたシャッターカーテンの周面の前面側及び、上面側と後面側の少なくとも一方に近接して設けた検知手段によって巻き乱れを検知するものであるので、従来の駆動停止装置に比べて、より高い精度でケース内の巻き乱れを検知することができる。特に、巻取シャフトに巻装されたシャッターカーテンの周面を囲むようにワイヤを張設し、該ワイヤの一端にマイクロスイッチを設けたものにおいては、ケース内でどのように巻きが乱れても、その巻を一つのマイクロスイッチで検知することができる。
【図面の簡単な説明】
【図１】本発明に係る駆動停止装置の組立て状態を示す部分斜視図である。
【図２】本発明に係る駆動停止装置を備えたシャッター装置の概略側面図であって、シャッターカーテンの通常の下降状態を示している。
【図３】本発明に係る駆動停止装置を備えたシャッター装置の概略側面図であって、下降するシャッターカーテンが障害物に当接することで、駆動停止装置が作動した状態を示している。
【図４】シャッター装置を電動駆動するための配線図であって、配線にはマイクロスイッチの作動によって切れる接点が設けてある。
【符号の説明】
２　シャッターケース
３　巻取シャフト
４　開閉機
５　シャッターカーテン
７　内まぐさ
９　ローラユニット
１０　マイクロスイッチ
１１　ワイヤ
【図１】
2004107922.tif 000003
【図２】
2004107922.tif 000004
【図３】
2004107922.tif 000005
【図４】
2004107922.tif 000006